(57)【要約】【課題】低体温症に対するより大きな防護性能を提供すると共に、着用者からの排出空気を使用してスーツ内部を加熱することのできる救命スーツを提供する。【解決手段】本願発明の救命スーツは、暖と浮遊を提供するために、使用から排気された空気で充填される２つの内袋（５０）、（６０）を有する。第１の内袋（５０）は、背面全体を覆うように着用者の後に配される。第１の内袋（５０）の後には、水中に沈んだときに断熱層として作用する第２の内袋（６０）が配される。第１及び第２の内袋（５０），（６０）は、断熱効果を提供し、排出された空気が自由に流れることのできる繊維充填材料（８０）で満たされている。排気チューブ（７４）は、着用者の口から前記第２の内袋（６０）まで延出する。第１及び第２の内袋（５０），（６０）の間には、第２の内袋（６０）から第１の内袋（５０）に空気を送るための空気通路（５５）が形成される。第１の内袋（５０）に配された出口開口部（５８）は、排出された空気を空胴部（１４）に逃がし、着用者を完全に囲む。最終的に空胴部（１４）に滞在する空気は、顔開口部（２３）から外へ排出される。【選択図】  なし【特許請求の範囲】
【請求項１】
ａ．  頭部、首部、上胸部、２つの腕部、腹部、２つの脚部及び顔開口部を有し、密閉された空胴部と、使用者によって前記外殻部が着用されるために選択可能に開閉される主開口部とを形成する防水性の外殻部；
ｂ．  前記空胴部の内部に配され、前記外殻部が装着された時に使用者の背後に位置し、空気を前記第１の内袋部を通して流すことのできる繊維充填材料が充填され、且つ内部に配された空気を前記空洞部に逃がすことのできる複数の出口ポートを有する第１の内袋部；
ｃ．  前記外殻部内部に且つ前記第１の内袋部の背後に配され、空気を通過させることのできる繊維充填材料が充填される第２の内袋部；
ｄ．  前記第１の内袋部及び前記第２の内袋部の間に形成される空気通路；及び
ｅ．  着用した使用者から排出された空気を前記第２の内袋部に送るために使用される前記内袋部に、前記顔開口部から延出する排気チューブ；を具備することを特徴とする救命スーツ。
【請求項２】
前記第１の内袋部は、前記スーツの着用時に、使用者側を覆う側面縁部を有することを特徴とする請求項１記載の救命スーツ。
【請求項３】
前記第１の内袋部の側面縁部は、使用者がそのスーツを着用した特にそのスーツの喫水線マークまで延出することを特徴とする請求項２記載の救命スーツ。
【請求項４】
前記第１の内袋部は、前記外殻部の前記頭部、前記首部、前記上胸部及び腹部近傍の前記外殻部で後側に延出することを特徴とする請求項１記載の救命スーツ。
【請求項５】
前記第１の内袋部は、前記外殻部の前記頭部、前記首部、前記上胸部及び腹部近傍の前記外殻部で後側に延出することを特徴とする請求項２記載の救命スーツ。
【請求項６】
前記第１の内袋部は、前記外殻部の前記頭部、前記首部、前記上胸部及び腹部近傍の前記外殻部で後側に延出することを特徴とする請求項３記載の救命スーツ。
【請求項７】
前記第２の内袋部は、前記外殻部内側で後側に前記使用者のウエスト近傍まで延出することを特徴とする請求項１記載の救命スーツ。
【請求項８】
前記第２の内袋部は、前記外殻部内側で後側に前記使用者のウエスト近傍まで延出することを特徴とする請求項２記載の救命スーツ。
【請求項９】
前記第２の内袋部は、前記外殻部内側で後側に前記使用者のウエスト近傍まで延出することを特徴とする請求項６記載の救命スーツ。
【請求項１０】
前記排気チューブの一部は、前記第２の内袋部内に延出し、前記排気チューブの背圧を防止するための複数の孔を有することを特徴とする請求項１記載の救命スーツ。
【請求項１１】
前記排気チューブの一部は、前記第２の内袋部内に延出し、前記排気チューブの背圧を防止するための複数の孔を有することを特徴とする請求項２記載の救命スーツ。
【請求項１２】
前記排気チューブの一部は、前記第２の内袋部内に延出し、前記排気チューブの背圧を防止するための複数の孔を有することを特徴とする請求項４記載の救命スーツ。
【請求項１３】
前記第１の内袋部は、前記外殻部の前記脚部に延出する脚部を有することを特徴とする請求項１記載の救命スーツ。
【請求項１４】
前記第１の内袋部は、前記外殻部の前記脚部に延出する脚部を有することを特徴とする請求項２記載の救命スーツ。
【請求項１５】
前記第１の内袋部は、前記外殻部の前記脚部に延出する脚部を有することを特徴とする請求項４記載の救命スーツ。
【請求項１６】
前記第１の内袋部は、排出された空気を前記空胴部に逃がすための前記第１の内袋部の脚部に形成された複数の孔を有することを特徴とする請求項１４記載の救命スーツ。
【請求項１７】
前記第１の内袋部は、排出された空気を前記空胴部に逃がすための前記第１の内袋部の脚部に形成された複数の孔を有することを特徴とする請求項１５記載の救命スーツ。
【請求項１８】
前記顔開口部を覆うように装着されるマスクを有することを特徴とする請求項１記載の救命スーツ。
【請求項１９】
前記顔開口部を覆うように装着されるマスクを有することを特徴とする請求項３記載の救命スーツ。
【請求項２０】
シュノーケルを具備することを特徴とする請求項１８記載の救命スーツ。
【発明の詳細な説明】
【技術分野】
【０００１】
本発明は、一般的に、寒冷環境に曝される防護服として設計された救命スーツの領域に関し、特に水中にある時に浮かぶために設計された救命スーツに関する。
【背景技術】
【０００２】
本発明は、一般的に、寒冷環境に曝される防護服として設計された救命スーツの領域に関し、特に水中にある時に浮かぶために設計された救命スーツに関する。
【０００３】
船舶の乗組員は、乗組員の暖を保持するために、通常、重い防護作業着を着用する。前記作業着は、乗組員が心ならずも海に投げ出された時に、選択的に膨張させる膨張可能な襟を有する。もし、乗組員が数分間冷たい海水から助け出されない場合、低体温症が短い時間で死に導く。乗組員が、船が沈むことを知り、まもなく海に入ることを余儀なくされる時、乗組員は、低体温症に対してより良い防護を提供する救命スーツをすぐに着用する。
【０００４】
典型的な救命スーツは、防水材料の厚くて重い層からなる分厚いフルボディのスーツである。いくつかの救命スーツは、浮力を提供するために着用者によって選択的膨張さえる膨張可能な襟を有する。しかし、残念ながら、これらの救命スーツは、低体温症に対する制約された防護性能のみを提供する。
【０００５】
必要とされるのは、低体温症に対するより大きな防護性能を提供する改良された救命スーツである。
【発明の開示】
【発明が解決しようとする課題】
【０００６】
本発明の目的は、低体温症に対するより大きな防護性能を提供する改良された救命スーツを提供することにある。
【０００７】
本発明のもう一つの目的は、着用者からの排出空気を使用してスーツ内部を加熱することのできる救命スーツを提供することにある。
【課題を解決するための手段】
【０００８】
本発明の上記目的は、以下に開示されるような２つの部分的に閉鎖された内袋で顔を除く全身を覆う外殻部を有する救命スーツによって達成される。使用時には、使用者は、冷水に直接曝される身体のほとんどの領域の回りに空気を分配し、且つ空胴部に空気を分配する２つの内袋に空気を吐き出す。
【０００９】
特に、前記救命スーツは、頭部、首部、上胸部、２つの腕部、腹部、及び２つの脚部を有する一体の外殻部を有する。前記上胸部及び腹部には、着用者が簡単にスーツを着用し脱ぐことができるように、前記スーツを開放する縦に直線的な前面開口部が形成される。前記頭部には、着用者が見たり呼吸したりできるように、小さい顔開口部が形成される。前記外殻部の内側には、全長にわたる空胴部が形成される。前記顔開口部の周囲には、付加的にフェイスマスク及びシュノーケルが装着される。前記前面開口部を閉鎖するための手段は、スーツが着用されたときに、顔開口部がスーツへの入口部であるように設けられる。
【００１０】
前記スーツは、着用時に着用者のすぐ背後で、前記外殻部の内側に位置する第１の内袋部を有する。第１の内袋部は、周囲の冷水と、頭、首、上半身及び下半身、及び脚の背面領域との間の断熱層として作用する。第１の内袋部は、断熱を提供し、空気の流通を容易に行う空洞を生じる繊維充填材料で満たされている。
【００１１】
第１の内袋部の背面には、前記第１の内袋部と前記外殻部の背面との間の第２の断熱バリヤとして作用する第２の内袋部が配置される。この第２の内袋部は、頭、首及び上半身の背面に延出する。第２の内袋部の下辺は、着用者のウエスト付近又は上臀部領域付近で終了している。第１の内袋部のように、第２の内袋部も、断熱を提供し、空気の流通を容易に行う空洞を生じる繊維充填材料で満たされている。
【００１２】
前記スーツの頭部の口領域には、前記空胴部内部を前記第２の内袋部まで下降する排気チューブに接続されるマウスピースが配置される。複数の空気孔が、前記第２の内袋部内部に位置する排気チューブの一部に形成され、空気がマウスピースに排出されるときの背圧を減少させる。使用の間、排出された空気は、第２の内袋部に送られ、第１及び第２の内袋部の間に形成された空気通路を通過する。前記排出空気は、第１の内袋部を通過し、スーツ着用時の使用者の足近傍で前記第１の内袋部に設けられた出口を介して最終的に空胴部に逃げる。この排気空気は、空胴部に滞在すると共に、使用者の脚、胴体、首及び頭部の回りを移動し且つ上昇してこれらの領域に暖を提供し、顔開口部を介してスーツ外へ排出される。
【００１３】
第２の具体例では、第１の内袋部の側部は曲げられ、使用者の側部回りの横方向に延出し、着用者が海水に垂直に浮かんでいる時のスーツの喫水線までの熱防護を提供する。
【００１４】
スーツを膨張させる利点は、スーツがより固くなり、荒い波の動きから着用者を防護することである。スーツを膨らませるために排出空気を使用する利点は、大きな温度目標又は標識が生成され、赤外線映像ゴーグルを着用したレスキュー隊が、海中の着用者を発見することができることである。
【発明を実施するための最良の形態】
【００１５】
以下、この発明の実施例について図面により説明する。
【実施例１】
【００１６】
添付された図１〜６に示されるように、救命スーツ１０は、頭部２２、首部２４、上胸部２６、２つの腕部２８，３０、腹部３２、及び２つの脚部３４，３６を有する一体の外殻部２０を有する。前記上胸部２６及び前記腹部３２の各々には、縦方向に直線的な前面開口部３８が設けられ、着用者９０がスーツ１０を着用したり脱いだりできるように、スーツ１０を簡単に開放することができるようになっている。前記頭部２２には、小さい顔開口部２３が形成され、着用者９０が見たり呼吸したりできるようになっている。また、前記顔開口部２３の回りには、付加的にフェイスマスク４０及びシュノーケル４２が装着される。
【００１７】
前記スーツ１０は、前記外殻部２０の位置で、着用時に着用者９０の直接背面に位置する第１の内袋部５０を有する。この第１の内袋部５０は、頭の後から、背中及び脚にわたって、２つのくるぶしまで延出する断熱層として作用する。好ましい例では、前記第１の内袋部５０は、腕の背面領域は覆わない。しかしながら、第１の内袋部５０は、上腕部の背面領域を覆うように改良することも可能であると理解するべきである。この第１の内袋部５０は、繊維充填材料８０で満たされており、この繊維充填材料８０は断熱を提供すると共に、複数のお互いに接続された空洞を生成してそこに配された空気が容易に流れるようにするものである。
【００１８】
前記第１の内袋部５０の後には、前記第１の内袋部５０と前記外殻部２０の間の第２の断熱バリヤとして作用する第２の内袋部６０が配される。この第２の内袋部６０は、第１の内袋部５０より短く、頭の後から背面又は背面領域にわたって着用者のウエスト及び上臀部まで延出する。また、第１の内袋部５０と同じように、第２の内袋部６０は、繊維充填材料８０で満たされており、この繊維充填材料８０は断熱を提供すると共に、内部空洞、複数のお互いに接続された空洞を生成して、空気が流れるようにするものである。
【００１９】
前記頭部２２の顔開口部２３近傍には、首の回りから空胴部内部を下降し、背中に沿って延出する屈曲自在な排気チューブ７４と接続するマウスピース７０が配される。この排気チューブ７４は、前記第２の内袋部６０内部で終わっている。複数の空気孔７８が、マウスピース７０での背圧を減少させるために、第２の内袋部６０の内部に位置する排気チューブ７４の一部に形成される。使用時には、排出空気が直接第２の内袋部６０に送られ、第２の内袋部６０及び第１の内袋部５０の間に形成された空気通路５５を通過する。前記排出空気は、第１の内袋部５０を通過し、足近傍に位置する出口開口部５８を介して、第２の内袋部６０の内面と前記外殻部２０の間に形成された前記空胴部１４に逃げる。前記空胴部１４に滞在すると同時に、排気空気は、上半身、頭部２２及び首部２４の回りを移動して上昇し、これらの部分に熱を提供する。それから前記排気空気は、顔開口部２３を介してスーツ１０の外部へ排出されるものである。
【実施例２】
【００２０】
第２の実施例において、前記第１の内袋部５０の側部５２，５３は曲げられ且つ着用者９０の側部の回りに延出し、着用者９０が図１に示すように海中に垂直に浮かんでいる時のスーツ１０の喫水線９５までに熱的な防護を提供する。
【００２１】
上述した実施例１及び２において、前記外殻部２０は、約３／１６〜３／８インチの厚さのナイロンで裏打ちされたネオプレイン又はウレタンで形成される。第１の内袋部５０及び第２の内袋部６０は、それぞれ約１／８インチの厚さのナイロンで裏打ちされたネオプレイン又はウレタンで形成される。繊維充填材料８０は、緩くよじれたナイロン繊維で形成される。図５で示すように、第１の内袋部５０及び第２の内袋部６０は、それぞれ約１／８インチの全長にわたる均一な厚さを有する。
【００２２】
法にしたがって、ここに記載された発明は、構造的特徴に関して多少独特な言語で記載された。しかしながら、本発明が、示された手段及び構成が、発明を有効にする好ましい実施例のみからなることから、示された固有の特徴について制限されないと理解するべきである。それゆえに、この発明は、均等論にしたがって適切に解釈された修正された請求項の合法で有効な範囲内での形状又は改良のいくつかについて請求されるものである。
【産業上の利用可能性】
【００２３】
この発明は、冷たい環境において個人に着用される救命スーツにおいて、特に冷たい海上で作業する船若しくは船舶から海上に跳びだし又は投げ出され、救助まで長い時間を待たなければならない船員によって着用される浮遊可能な救命スーツにおいて有益である。
【図面の簡単な説明】
【００２４】
【図１】第１の内袋部の相対的位置を示す救命スーツの正面図である。
【図２】第２の内袋部の相対的位置を示す救命スーツの背面図である。
【図３】海中に垂直位置でいる着用者を示した救命スーツの側面図である。
【図４−６】救命スーツの上半身の部分的断面側面図である。
【符号の説明】
【００２５】
１０  救命スーツ
１４  空胴部
２０  外殻部
２２  頭部
２３  顔開口部
２４  首部
２６  上胸部
２８，３０  腕部
３２  腹部
３４，３６  脚部
３８  前面開口部
４０  フェイスマスク
４２  シュノーケル
５０  第１の内袋部
５２，５３  側部
５５  空気通路
５８  出口開口部
６０  第２の内袋部
７０  マウスピース
７４  排気チューブ
７８  空気孔
８０  繊維充填材料
９０  着用者
９５  喫水線
【図１】
2007502920.tif 000002
【図２】
2007502920.tif 000003
【図３】
2007502920.tif 000004
【図４】
2007502920.tif 000005
【図５】
2007502920.tif 000006
【図６】
2007502920.tif 000007
【国際調査報告】
2007502920.tif 000008